(57)【特許請求の範囲】
【請求項１】
自転車に搭載可能な自転車用電子機器と通信可能であり、操作部の操作に応じて予め定める制御対象に予め定める動作を実行させる制御部を含み、
前記制御対象は、前記制御部と通信する前記自転車用電子機器を含み、
前記自転車用電子機器は、対応する操作部の操作に応じて動作可能であり、
前記制御部は、前記自転車用電子機器の構成、種類、および、機能の少なくとも１つに応じて、かつ、前記操作部の数に依存することなく、前記予め定める制御対象および前記予め定める動作の少なくとも一方を設定または変更する、操作制御装置。
【請求項２】
自転車に搭載可能な自転車用電子機器と通信可能であり、操作部の操作に応じて予め定める制御対象に予め定める動作を実行させる制御部を含み、
前記自転車用電子機器は、対応する操作部の操作に応じて動作可能であり、
前記制御部は、
前記自転車用電子機器の構成、種類、および、機能の少なくとも１つに応じて、前記予め定める制御対象および前記予め定める動作の少なくとも一方を設定または変更し、
前記自転車のランプのスイッチを備える第１の表示ユニットと通信可能であり、かつ、予め定める制御対象に予め定める動作を実行させるための前記操作部が操作された場合、前記第１の表示ユニットの画面の状態を切り替え、
前記自転車のランプのスイッチを備えない第２の表示ユニットと通信可能であり、かつ、予め定める制御対象に予め定める動作を実行させるための前記操作部が操作された場合、前記自転車のランプの点灯状態を切り替える、操作制御装置。
【請求項３】
前記予め定める制御対象および前記予め定める動作の少なくとも一方に対応する操作対象情報を記憶する記憶部をさらに含む、請求項１または２に記載の操作制御装置。
【請求項４】
前記記憶部は、前記自転車用電子機器の構成、種類、および、機能の少なくとも１つに対応する接続機器情報と、前記操作対象情報とを対応付けて記憶する、請求項３に記載の操作制御装置。
【請求項５】
自転車に搭載可能な自転車用電子機器と通信可能であり、操作部の操作に応じて予め定める制御対象に予め定める動作を実行させる制御部を含み、
前記自転車用電子機器は、対応する操作部の操作に応じて動作可能であり、
前記制御部は、前記自転車用電子機器の構成、種類、および、機能の少なくとも１つに応じて、前記予め定める制御対象および前記予め定める動作の少なくとも一方を設定または変更し、
前記予め定める制御対象および前記予め定める動作の少なくとも一方に対応する操作対象情報を記憶する記憶部をさらに含み、
前記記憶部は、
前記自転車用電子機器の構成、種類、および、機能の少なくとも１つに対応する接続機器情報と、前記操作対象情報とを対応付けて記憶し、
前記操作部に関する情報を含む前記接続機器情報、および、前記操作部に関する情報を含まない前記接続機器情報に対応させて、複数の前記操作対象情報を記憶し、
前記複数の操作対象情報に対応させて、優先順位に関する操作対象順位情報を記憶し、
前記制御部は、前記操作対象順位情報に基づいて、前記予め定める制御対象および前記予め定める動作の少なくとも一方を設定または変更する、操作制御装置。
【請求項６】
自転車に搭載可能な自転車用電子機器と通信可能であり、操作部の操作に応じて予め定める制御対象に予め定める動作を実行させる制御部を含み、
前記自転車用電子機器は、対応する操作部の操作に応じて動作可能であり、
前記制御部は、前記自転車用電子機器の構成、種類、および、機能の少なくとも１つに応じて、前記予め定める制御対象および前記予め定める動作の少なくとも一方を設定または変更し、
前記予め定める制御対象および前記予め定める動作の少なくとも一方に対応する操作対象情報を記憶する記憶部をさらに含み、
前記記憶部は、
前記自転車用電子機器の構成、種類、および、機能の少なくとも１つに対応する接続機器情報と、前記操作対象情報とを対応付けて記憶し、
複数の前記接続機器情報と、前記複数の接続機器情報にそれぞれ対応する前記操作対象情報とを記憶し、
前記複数の接続機器情報に対応させて、優先順位に関する接続機器順位情報を記憶し、
前記制御部は、前記接続機器順位情報に基づいて、前記予め定める制御対象および前記予め定める動作の少なくとも一方を設定または変更する、操作制御装置。
【請求項７】
自転車に搭載可能な自転車用電子機器と通信可能であり、操作部の操作に応じて予め定める制御対象に予め定める動作を実行させる制御部を含み、
前記自転車用電子機器は、対応する操作部の操作に応じて動作可能であり、
前記制御部は、前記自転車用電子機器の構成、種類、および、機能の少なくとも１つに応じて、前記予め定める制御対象および前記予め定める動作の少なくとも一方を設定または変更し、
前記予め定める制御対象および前記予め定める動作の少なくとも一方に対応する操作対象情報を記憶する記憶部をさらに含み、
前記記憶部は、
前記自転車用電子機器の構成、種類、および、機能の少なくとも１つに対応する接続機器情報と、前記操作対象情報とを対応付けて記憶し、
前記操作部の前記自転車への配置に関する配置情報を記憶し、
前記制御部は、前記配置情報に基づいて、前記予め定める制御対象および前記予め定める動作の少なくとも一方を設定または変更する、操作制御装置。
【請求項８】
前記制御部は、前記自転車用電子機器との通信により前記接続機器情報を取得し、前記記憶部に記憶されている前記接続機器情報に対応する前記操作対象情報に基づいて、前記予め定める制御対象および前記予め定める動作の少なくとも一方を設定または変更する、請求項４〜７のいずれか一項に記載の操作制御装置。
【請求項９】
前記記憶部は、前記操作部に関する情報を含む前記接続機器情報、および、前記操作部に関する情報を含まない前記接続機器情報に対応させて、複数の前記操作対象情報を記憶する、請求項４〜８のいずれか一項に記載の操作制御装置。
【請求項１０】
前記記憶部は、前記複数の操作対象情報に対応させて、優先順位に関する操作対象順位情報を記憶し、
前記制御部は、前記操作対象順位情報に基づいて、前記予め定める制御対象および前記予め定める動作の少なくとも一方を設定または変更する、請求項９に記載の操作制御装置。
【請求項１１】
前記記憶部は、複数の前記接続機器情報と、前記複数の接続機器情報にそれぞれ対応する前記操作対象情報とを記憶する、請求項４、５、７〜１０のいずれか一項に記載の操作制御装置。
【請求項１２】
前記記憶部は、前記複数の接続機器情報に対応させて、優先順位に関する接続機器順位情報を記憶し、
前記制御部は、前記接続機器順位情報に基づいて、前記予め定める制御対象および前記予め定める動作の少なくとも一方を設定または変更する、請求項１１に記載の操作制御装置。
【請求項１３】
前記制御部は、前記自転車用電子機器の構成、種類、または、機能が変更された場合、前記予め定める制御対象および前記予め定める動作の少なくとも一方を設定または変更する、請求項１〜１２のいずれか一項に記載の操作制御装置。
【請求項１４】
前記自転車用電子機器に電線を介して接続される接続部をさらに備える、請求項１〜１３のいずれか一項に記載の操作制御装置。
【請求項１５】
前記電線と前記接続部とは着脱可能である、請求項１４に記載の操作制御装置。
【請求項１６】
前記自転車用電子機器と通信可能な無線通信部をさらに備える、請求項１〜１５のいずれか一項に記載の操作制御装置。
【請求項１７】
前記記憶部は、前記操作部の前記自転車への配置に関する配置情報を記憶し、
前記制御部は、前記配置情報に基づいて、前記予め定める制御対象および前記予め定める動作の少なくとも一方を設定または変更する、請求項３〜６、請求項３を直接的または間接的に引用する請求項８〜１６のいずれか一項に記載の操作制御装置。
【請求項１８】
前記制御部は、
前記自転車のランプのスイッチを備える第１の表示ユニットと通信可能であり、かつ、予め定める制御対象に予め定める動作を実行させるための前記操作部が操作された場合、前記第１の表示ユニットの画面の状態を切り替え、
前記自転車のランプのスイッチを備えない第２の表示ユニットと通信可能であり、かつ、予め定める制御対象に予め定める動作を実行させるための前記操作部が操作された場合、前記自転車のランプの点灯状態を切り替える、請求項１、３〜１７のいずれか一項に記載の操作制御装置。
【請求項１９】
前記制御部は、前記記憶部に記憶されている前記接続機器情報と、前記操作対象情報との対応付けを変更可能な設定変更装置と通信可能である、請求項４〜７、請求項４を直接的または間接的に引用する請求項８〜１８のいずれか一項に記載の操作制御装置。
【請求項２０】
表示部と、
操作部と、
前記表示部および前記操作部が設けられ、自転車に取り付け可能なハウジングと、
前記自転車に搭載可能な自転車用電子機器と通信可能であり、前記操作部の操作に応じて予め定める制御対象に予め定める動作を実行させる制御部とを含み、
前記制御対象は、前記制御部と通信する前記自転車用電子機器を含み、
前記自転車用電子機器は、前記操作部の操作に応じて動作可能であり、
前記制御部または外部の機器からの指示によって、前記自転車用電子機器の構成、種類、および、機能の少なくとも１つに応じて、かつ、前記操作部の数に依存することなく前記予め定める制御対象および前記予め定める動作の少なくとも一方を設定可能または変更可能である、自転車用表示装置。
【発明の詳細な説明】
【技術分野】
【０００１】
本発明は、自転車に搭載可能な操作制御装置および自転車用表示装置に関する。
【背景技術】
【０００２】
特許文献１に開示される自転車用変速制御装置では、モードスイッチと変速用のスイッチとを操作することによって、変速用スイッチと変速装置の動作との関連付けが変更可能になっている。
【先行技術文献】
【特許文献】
【０００３】
【特許文献１】特開２００５−２９７７１２号公報
【発明の概要】
【発明が解決しようとする課題】
【０００４】
スイッチ等の操作部を操作したときの制御対象の動作等を、容易に変更可能または設定可能であることが望ましい。
本発明の目的は、ユーザビリティを向上させることが可能な操作制御装置および自転車用表示装置を提供することである。
【課題を解決するための手段】
【０００５】
〔１〕本発明に従う操作制御装置の一形態は、自転車に搭載可能な自転車用電子機器と通信可能であり、操作部の操作に応じて予め定める制御対象に予め定める動作を実行させる制御部を含み、前記制御部は、前記自転車用電子機器の構成、種類、および、機能の少なくとも１つに応じて、前記予め定める制御対象および前記予め定める動作の少なくとも一方を設定または変更する。
【０００６】
〔２〕前記操作制御装置の一例によれば、前記制御部は、前記自転車用電子機器の構成、種類、または、機能が変更された場合、前記予め定める制御対象および前記予め定める動作の少なくとも一方を設定または変更する。
【０００７】
〔３〕前記操作制御装置の一例によれば、前記予め定める制御対象および前記予め定める動作の少なくとも一方に対応する操作対象情報を記憶する記憶部をさらに含む。
〔４〕前記操作制御装置の一例によれば、前記記憶部は、前記自転車用電子機器の構成、種類、および、機能の少なくとも１つに対応する接続機器情報と、前記操作対象情報とを対応付けて記憶する。
【０００８】
〔５〕前記操作制御装置の一例によれば、前記制御部は、前記自転車用電子機器との通信により前記接続機器情報を取得し、前記記憶部に記憶されている前記接続機器情報に対応する前記操作対象情報に基づいて、前記予め定める制御対象および前記予め定める動作の少なくとも一方を設定または変更する。
【０００９】
〔６〕前記操作制御装置の一例によれば、前記記憶部は、１つの前記接続機器情報に対応させて、複数の前記操作対象情報を記憶する。
〔７〕前記操作制御装置の一例によれば、前記記憶部は、前記複数の操作対象情報に対応させて、優先順位に関する操作対象順位情報を記憶し、前記制御部は、前記操作対象順位情報に基づいて、前記予め定める制御対象および前記予め定める動作の少なくとも一方を設定または変更する。
【００１０】
〔８〕前記操作制御装置の一例によれば、前記記憶部は、複数の前記接続機器情報と、前記複数の接続機器情報にそれぞれ対応する前記操作対象情報とを記憶する。
〔９〕前記操作制御装置の一例によれば、前記記憶部は、前記複数の接続機器情報に対応させて、優先順位に関する接続機器順位情報を記憶し、前記制御部は、前記接続機器順位情報に基づいて、前記予め定める制御対象および前記予め定める動作の少なくとも一方を設定または変更する。
【００１１】
〔１０〕前記操作制御装置の一例によれば、前記自転車用電子機器に電線を介して接続される接続部をさらに備える。
〔１１〕前記操作制御装置の一例によれば、前記電線と前記接続部とは着脱可能である。
【００１２】
〔１２〕前記操作制御装置の一例によれば、前記自転車用電子機器と通信可能な無線通信部をさらに備える。
〔１３〕前記操作制御装置の一例によれば、前記記憶部は、前記操作部の前記自転車への配置に関する配置情報を記憶し、前記制御部は、前記配置情報に基づいて、前記予め定める制御対象および前記予め定める動作の少なくとも一方を設定または変更する。
【００１３】
〔１４〕前記操作制御装置の一例によれば、前記制御部は、前記自転車のランプのスイッチを備える第１の表示ユニットと通信可能であり、かつ、前記操作部が操作された場合、前記第１の表示ユニットの画面の状態を切り替え、前記自転車のランプのスイッチを備えない第２の表示ユニットと通信可能であり、かつ、前記操作部が操作された場合、前記自転車のランプの点灯状態を切り替える。
【００１４】
〔１５〕前記操作制御装置の一例によれば、前記制御部は、前記記憶部に記憶されている前記接続機器情報と、前記操作対象情報との対応付けを変更可能な設定変更装置と通信可能である。
【００１５】
〔１６〕本発明に従う自転車用表示装置の一形態は、表示部と、操作部と、前記表示部および前記操作部が設けられ、自転車に取り付け可能なハウジングと、前記自転車に搭載可能な自転車用電子機器と通信可能であり、前記操作部の操作に応じて予め定める制御対象を動作させる制御部とを含み、前記制御部または外部の機器からの指示によって、前記予め定める制御対象を設定可能または変更可能である。
【発明の効果】
【００１６】
上記操作制御装置および自転車用表示装置は、ユーザビリティを向上させることができる。
【図面の簡単な説明】
【００１７】
【図１】第１の実施形態の操作制御装置を備える自転車の側面図。
【図２】図１のハンドルバーに取り付けられる各ユニットの平面図。
【図３】図１の自転車の電気的な構成を示すブロック図。
【図４】第２の表示ユニットの構成を示すブロック図。
【図５】図３の操作制御装置により実行される制御のフローチャート。
【図６】第１の表示ユニットが搭載された自転車の一部を示す模式図。
【図７】第２の表示ユニットが搭載された自転車の一部を示す模式図。
【図８】第４の実施形態の自転車の電気的な構成を示すブロック図。
【図９】第５の実施形態の自転車の電気的な構成を示すブロック図。
【図１０】第６の実施形態の自転車用表示装置のブロック図。
【図１１】自転車用表示装置が搭載された自転車の電気的な構成を示すブロック図。
【図１２】変形例の操作制御装置の構成を示すブロック図。
【発明を実施するための形態】
【００１８】
（第１の実施形態）
図１に示されるとおり、自転車１０は、操作制御装置１００を備える。一例では、自転車１０はさらに、自転車用電子機器Ｅ、操作部Ｐ、および、電線Ｌ（図３参照）を含む。自転車用電子機器Ｅは、アシストユニット２００、変速ユニット３００、第１の操作ユニット４００、第２の操作ユニット５００（図２参照）、および、第１の表示ユニット６００を含む。電線Ｌは、自転車用電子機器Ｅ間において電力線通信（Power Line Communication：ＰＬＣ）を実行できるように各自転車用電子機器Ｅを電気的に接続する。操作部Ｐは、複数の操作部を含む。それらは、各ユニット４００、５００、６００に含まれる。自転車用電子機器Ｅは、対応する操作部Ｐの操作に応じて動作可能である。
【００１９】
自転車１０はさらに、フレーム１２、前輪１４、後輪１６、ハンドルバー１８、一対のブレーキレバー２０、および、クランク軸２２を備える。フレーム１２は、自転車１０の本体である。前輪１４および後輪１６は、フレーム１２に対して回転可能な状態でフレーム１２に支持される。ハンドルバー１８は、前輪１４の向きを変更できるようにフレーム１２に支持される。一対のブレーキレバー２０は、ハンドルバー１８に取り付けられる。クランク軸２２は、フレーム１２に対して回転可能な状態でフレーム１２に支持される。
【００２０】
自転車１０はさらに、バッテリＢ、ランプ２４、トルクセンサ２６、車速センサ２８、および、駆動機構３０を備える。バッテリＢは、フレーム１２に取り付けられる。バッテリＢは、電線Ｌによりランプ２４、トルクセンサ２６、車速センサ２８、操作制御装置１００、各ユニット２００、３００、４００、５００、６００と電気的に接続される。ランプ２４は、自転車用電子機器Ｅに含まれる。ランプ２４は、フレーム１２に取り付けられ、自転車１０の進行方向に光を照射可能である。トルクセンサ２６は、駆動機構３０に取り付けられ、クランク軸２２に入力される人力駆動力が反映された信号を出力する。
【００２１】
駆動機構３０は、クランク軸２２から後輪１６に駆動力を伝達する。駆動機構３０は、ドライブユニット３２、一対のクランクアーム３４、一対のペダル３６、フロントスプロケット３８、リアスプロケット４０、および、チェーン４２を備える。ドライブユニット３２は、フレーム１２に取り付けられ、フレーム１２に対して着脱可能である。ドライブユニット３２は、フレーム１２に対する回転が可能な状態でクランク軸２２を支持する。ドライブユニット３２は、操作制御装置１００およびアシストユニット２００を含む。
【００２２】
一対のクランクアーム３４は、クランク軸２２と一体的に回転できるようにクランク軸２２に連結される。一対のペダル３６は、クランクアーム３４に対して回転可能な状態で異なるクランクアーム３４に支持される。フロントスプロケット３８は、ワンウェイクラッチ（図示略）を介してクランク軸２２と連結される。リアスプロケット４０は、後輪１６の車軸１６Ａに対する回転が可能な状態で車軸１６Ａにより支持される。チェーン４２は、フロントスプロケット３８およびリアスプロケット４０に巻き掛けられる。
【００２３】
クランクアーム３４を前方に回転させる人力駆動力がペダル３６に入力された場合、クランクアーム３４およびクランク軸２２がフレーム１２に対して一体的に前方に回転する。この場合、クランク軸２２の回転がフロントスプロケット３８に伝達され、フロントスプロケット３８の回転がチェーン４２によりリアスプロケット４０および後輪１６に伝達される。クランクアーム３４を後方に回転させる人力駆動力がペダル３６に入力された場合、クランクアーム３４およびクランク軸２２がフレーム１２に対して一体的に後方に回転する。この場合、ワンウェイクラッチの作用によりクランク軸２２の回転がフロントスプロケット３８に伝達されない。
【００２４】
トルクセンサ２６は、例えば歪センサである。トルクセンサ２６は、ドライブユニット３２に設けられる。トルクセンサ２６は、例えばクランク軸２２からフロントスプロケット３８までの動力伝達経路に取り付けられる。クランク軸２２に入力されるトルクは、ペダル３６に入力される人力駆動力と相関を有する。このため、トルクセンサ２６は、人力駆動力が反映された信号を出力する。
【００２５】
車速センサ２８は、例えば磁気センサである。車速センサ２８は、例えばフレーム１２のフロントフォークに設けられる。車速センサ２８は、前輪１４に設けられる磁石に反応し、前輪１４の回転速度が反映された信号を出力する。
【００２６】
図２に示されるとおり、第１の操作ユニット４００は、ハンドルバー１８において、一方のブレーキレバー２０（図１参照）の近傍に設けられる。第１の操作ユニット４００は、好ましくは、自転車１０（図１参照）を運転する運転者がハンドルバー１８を握りながら操作することが可能な位置に設けられる。第１の操作ユニット４００は、ハンドルバー１８に対して着脱可能に構成される。第１の操作ユニット４００は、例えば変速ユニット３００（図１参照）を動作させることが可能な操作部Ｐを含む。第２の操作ユニット５００は、ハンドルバー１８において、他方のブレーキレバー２０の近傍に設けられる。第２の操作ユニット５００は、好ましくは、運転者がハンドルバー１８を握りながら操作することが可能な位置に設けられる。第２の操作ユニット５００は、ハンドルバー１８に対して着脱可能に構成される。第２の操作ユニット５００は、例えばアシストユニット２００（図１参照）を動作させることが可能な操作部Ｐを含む。
【００２７】
第１の表示ユニット６００は、ブラケット（図示略）を介して、例えばハンドルバー１８の中間部分に取り付けられる。第１の表示ユニット６００は、好ましくはハンドルバー１８の中央部分に設けられる。第１の表示ユニット６００は、ハンドルバー１８に対して着脱可能である。ブラケットがハンドルバー１８に固定され、第１の表示ユニット６００は、ブラケットに対して着脱可能に構成される。
【００２８】
図３に示されるとおり、操作制御装置１００は、ドライブユニット３２に設けられる。操作制御装置１００は、第１の制御部１０２を含む。一例では、操作制御装置１００はさらに、第１の記憶部１０４、第１の通信部１０６、および、第１の接続部１０８を含む。第１の制御部１０２は、操作部Ｐの操作に応じて予め定める制御対象である自転車用電子機器Ｅに予め定める動作を実行させる。すなわち、操作制御装置１００は、自転車１０に搭載可能な自転車用電子機器Ｅと通信可能であり、操作部Ｐの操作に応じて予め定める制御対象に予め定める動作を実行させる第１の制御部１０２を含む。第１の制御部１０２は、予め定める制御プログラムを実行する演算処理装置を含んで構成される。演算処理装置は、例えばＣＰＵ（Central Processing Unit）またはＭＰＵ（Micro Processing Unit）等を含む。
【００２９】
第１の記憶部１０４は、第１の制御部１０２の制御に用いられる情報を記憶している。第１の記憶部１０４は、不揮発性メモリを含んで構成される。第１の記憶部１０４に記憶される情報は、予め定める制御対象および予め定める動作の少なくとも一方に対応する操作対象情報、ならびに、自転車用電子機器Ｅの構成、種類、および、機能の少なくとも１つに対応する接続機器情報と操作対象情報とを対応付けた機器対応情報を含む。第１の記憶部１０４は、第１の制御部１０２の演算処理装置によって実行される予め定める制御プログラムを記憶している。予め定める制御対象に対応する操作対象情報は、識別情報を含む。
【００３０】
第１の通信部１０６は、電線Ｌから第１の制御部１０２に電力および情報を伝送し、第１の制御部１０２から電線Ｌに情報を伝送する。第１の接続部１０８は、第１の通信部１０６に設けられ、自転車用電子機器Ｅに電線Ｌを介して接続される。第１の接続部１０８は、例えば電線Ｌに対して着脱可能である。第１の接続部１０８は、接続端子を備え、電線Ｌは、第１の接続部１０８の接続端子に着脱可能なコネクタを有する。電線Ｌが第１の接続部１０８と接続されることにより、電線Ｌと第１の制御部１０２とが第１の通信部１０６を介して電気的に接続される。
【００３１】
アシストユニット２００は、ドライブユニット３２のハウジングに設けられる。アシストユニット２００は、アシストモータ２０２、第２の制御部２０４、第２の記憶部２０６、第２の通信部２０８、および、第２の接続部２１０を含む。第２の制御部２０４は、予め定める制御プログラムを実行する演算処理装置を含んで構成される。演算処理装置は、例えばＣＰＵまたはＭＰＵ等を含む。アシストユニット２００は、アシスト比の異なる複数のアシストモードのうちの選択されたアシストモードに基づいて動作可能である。アシストモータ２０２は、例えば電気モータである。アシストユニット２００は、アシストモータ２０２の回転を減速する減速機をさらに含んでいてもよい。
【００３２】
第２の制御部２０４は、第２の操作ユニット５００の操作等に基づいて、複数のアシストモードの中からアシストユニット２００に実行させるアシストモードを選択する。第２の制御部２０４は、選択したアシストモード、および、トルクセンサ２６の検出結果等に基づいて、アシストモータ２０２を制御する。アシストモータ２０２の出力は、クランク軸２２（図１参照）からフロントスプロケット３８（図１参照）までの動力伝達経路に伝達される。アシストモータ２０２は、トルクセンサ２６の検出結果に応じて人力駆動力をアシストする。第２の記憶部２０６は、第２の制御部２０４の演算処理装置によって実行される予め定める制御プログラム、および、アシストユニット２００に関する識別情報等を記憶している。識別情報は、例えばアシストユニット２００のモデル番号、シリアル番号、および、ソフトウェアのバージョン情報の少なくとも１つを含む。アシストモードは、アシストしないモードを含んでいてもよい。
【００３３】
第２の通信部２０８は、電線Ｌから第２の制御部２０４に電力および情報を伝送し、第２の制御部２０４から電線Ｌに情報を伝送する。第２の接続部２１０は、第２の通信部２０８に設けられ、電線Ｌに対して着脱可能である。第２の接続部２１０は、接続端子を備え、電線Ｌは、第２の接続部２１０の接続端子に着脱可能なコネクタを有する。電線Ｌが第２の接続部２１０と接続されることにより、電線Ｌと第２の制御部２０４とが第２の通信部２０８を介して電気的に接続される。
【００３４】
変速ユニット３００は、後輪１６のハブ１６Ｂ（図１参照）に設けられる。変速ユニット３００は、変速機３０２、アクチュエータ３０４、第３の制御部３０６、第３の記憶部３０８、第３の通信部３１０、および、第３の接続部３１２を含む。変速機３０２は、自転車１０の変速比を変更可能である。変速機３０２は、例えば遊星歯車機構（図示略）を含み、後輪１６のハブ１６Ｂと一体化された内装変速機である。アクチュエータ３０４は、例えば電気モータであり、自転車１０の変速比が変更されるように変速機３０２を動作させる。
【００３５】
第３の制御部３０６は、自転車１０の走行状態または第１の操作ユニット４００の操作に基づいて、アクチュエータ３０４を制御する。第３の制御部３０６は、予め定める制御プログラムを実行する演算処理装置を含んで構成される。演算処理装置は、例えばＣＰＵまたはＭＰＵ等を含む。第３の記憶部３０８は、第３の制御部３０６の演算処理装置によって実行される予め定める制御プログラム、および、変速ユニット３００に関する識別情報等を記憶している。識別情報は、例えば変速ユニット３００のモデル番号、シリアル番号、および、ソフトウェアのバージョン情報の少なくとも１つを含む。
【００３６】
第３の通信部３１０は、電線Ｌから第３の制御部３０６に電力および情報を伝送し、第３の制御部３０６から電線Ｌに情報を伝送する。第３の接続部３１２は、第３の通信部３１０に設けられ、電線Ｌに対して着脱可能である。第３の接続部３１２は、接続端子を備え、電線Ｌは、第３の接続部３１２の接続端子に着脱可能なコネクタを有する。電線Ｌが第３の接続部３１２と接続されることにより、電線Ｌと第３の制御部３０６とが第３の通信部３１０を介して電気的に接続される。
【００３７】
第１の操作ユニット４００は、第１の操作部４０４、第２の操作部４０６、第４の制御部４０８、第４の記憶部４１０、第４の通信部４１２、および、第４の接続部４１４を含む。第１の操作部４０４は、変速機３０２の変速比を大きくするために操作される操作部Ｐである。第１の操作部４０４は、例えば押しボタン式のスイッチを含んで構成される。第２の操作部４０６は、変速機３０２の変速比を小さくするために操作される操作部Ｐである。第２の操作部４０６は、例えば押しボタン式のスイッチを含んで構成される。
【００３８】
第４の制御部４０８は、第１の操作部４０４および第２の操作部４０６のそれぞれの操作に基づいて、操作制御装置１００に出力される操作信号を生成する。第４の制御部４０８は、予め定める制御プログラムを実行する演算処理装置を含んで構成される。演算処理装置は、例えばＣＰＵまたはＭＰＵ等を含む。第４の記憶部４１０は、第４の制御部４０８の演算処理装置によって実行される予め定める制御プログラム、および、第１の操作ユニット４００に関する識別情報等を記憶している。識別情報は、例えば第１の操作ユニット４００のモデル番号、シリアル番号、および、ソフトウェアのバージョン情報の少なくとも１つを含む。
【００３９】
第４の通信部４１２は、電線Ｌから第４の制御部４０８に電力および情報を伝送し、第４の制御部４０８から電線Ｌに情報を伝送する。第４の接続部４１４は、第４の通信部４１２に設けられ、電線Ｌに対して着脱可能である。第４の接続部４１４は、接続端子を備え、電線Ｌは、第４の接続部４１４の接続端子に着脱可能なコネクタを有する。電線Ｌが第４の接続部４１４と接続されることにより、電線Ｌと第４の制御部４０８とが第４の通信部４１２を介して電気的に接続される。
【００４０】
第２の操作ユニット５００は、第３の操作部５０４、第４の操作部５０６、第５の操作部５０７、第５の制御部５０８、第５の記憶部５１０、第５の通信部５１２、および、第５の接続部５１４を含む。第３の操作部５０４は、アシストユニット２００のアシスト力が増加するようにアシストユニット２００のアシストモードを変更するために操作される操作部Ｐである。第４の操作部５０６は、アシストユニット２００のアシスト力が減少するようにアシストユニット２００のアシストモードを変更するために操作される操作部Ｐである。第５の操作部５０７は、予め定める制御対象に、予め定める動作を実行させるための操作部Ｐである。
【００４１】
第５の制御部５０８は、第３の操作部５０４、第４の操作部５０６、および、第５の操作部５０７のそれぞれの操作に基づいて、操作制御装置１００に出力される操作信号を生成する。第５の制御部５０８は、予め定める制御プログラムを実行する演算処理装置を含んで構成される。演算処理装置は、例えばＣＰＵまたはＭＰＵ等を含む。第５の記憶部５１０は、第５の制御部５０８の演算処理装置によって実行される予め定める制御プログラム、および、第２の操作ユニット５００に関する識別情報等を記憶している。識別情報は、例えば第２の操作ユニット５００のモデル番号、シリアル番号、および、ソフトウェアのバージョン情報の少なくとも１つを含む。
【００４２】
第５の通信部５１２は、電線Ｌから第５の制御部５０８に電力および情報を伝送し、第５の制御部５０８から電線Ｌに情報を伝送する。第５の接続部５１４は、第５の通信部５１２に設けられ、電線Ｌに対して着脱可能である。第５の接続部５１４は、接続端子を備え、電線Ｌは、第５の接続部５１４の接続端子に着脱可能なコネクタを有する。電線Ｌが第５の接続部５１４と接続されることにより、電線Ｌと第５の制御部５０８とが第５の通信部５１２を介して電気的に接続される。
【００４３】
第１の表示ユニット６００は、第１の表示部６０２、電源スイッチ６０４、ランプスイッチ６０６、第６の制御部６０８、第６の記憶部６１０、第６の通信部６１２、および、第６の接続部６１４を含む。第１の表示部６０２は、例えば液晶ディスプレイである。第１の表示部６０２は、自転車１０の走行状態および走行環境の少なくとも一方に関する情報を表示可能である。電源スイッチ６０４は、第１の表示ユニット６００を含む各自転車用電子機器Ｅに、バッテリＢからの電力の供給のオンおよびオフを切り替えるために操作される操作部Ｐである。ランプスイッチ６０６は、ランプ２４の点灯状態を切り替えるために操作される操作部Ｐである。
【００４４】
第６の制御部６０８は、電線Ｌを介して送付される情報を第１の表示部６０２に表示させたり、第１の表示部６０２の表示画面の状態を切り替えたりする。電線Ｌを介して送付される情報は、例えば自転車の走行速度、走行距離、アシストモード、現在の変速段、および、バッテリＢの残量等の情報を含む。第６の制御部６０８は、予め定める制御プログラムを実行する演算処理装置を含んで構成される。演算処理装置は、例えばＣＰＵまたはＭＰＵ等を含む。第６の記憶部６１０は、第６の制御部６０８の演算処理装置によって実行される予め定める制御プログラム、および、第１の表示ユニット６００に関する識別情報等を記憶している。識別情報は、例えば第１の表示ユニット６００のモデル番号、シリアル番号、および、ソフトウェアのバージョン情報の少なくとも１つを含む。
【００４５】
第６の通信部６１２は、電線Ｌから第６の制御部６０８に電力および情報を伝送し、第６の制御部６０８から電線Ｌに情報を伝送する。第６の接続部６１４は、第６の通信部６１２に設けられ、電線Ｌに対して着脱可能である。第６の接続部６１４は、接続端子を備え、電線Ｌは、第６の接続部６１４の接続端子に着脱可能なコネクタを有する。電線Ｌが第６の接続部６１４と接続されることにより、電線Ｌと第６の制御部６０８とが第６の通信部６１２を介して電気的に接続される。第６の接続部６１４と、電線Ｌとは、ブラケットを介して接続されてもよい。この場合、第６の接続部６１４の接続端子に接続可能な第１の端子と、電線Ｌに接続可能な第２の端子とがブラケットに設けられる。
【００４６】
自転車１０は、第１の表示ユニット６００に代えて、図７に示される第２の表示ユニット７００を取り付け可能である。第２の表示ユニット７００は、第１の表示ユニット６００と共通のブラケットに着脱可能に装着することができる。図４は、第２の表示ユニット７００のブロック図である。第２の表示ユニット７００は、第２の表示部７０２、電源スイッチ７０４、第７の制御部７０６、第７の記憶部７０８、第７の通信部７１０、および、第７の接続部７１２を含む。
【００４７】
第２の表示部７０２は、例えば液晶ディスプレイである。第２の表示部７０２は、自転車１０の走行状態および走行環境の少なくとも一方に関する情報を表示可能である。電源スイッチ７０４は、第２の表示ユニット７００を含む各自転車用電子機器Ｅに、バッテリＢからの電力の供給のオンおよびオフを切り替えるために操作される操作部Ｐである。
【００４８】
第７の制御部７０６は、電線Ｌを介して送付される情報を第２の表示部７０２に表示させたり、第２の表示部７０２の表示画面の状態を切り替えたりする。第７の制御部７０６は、予め定める制御プログラムを実行する演算処理装置を含んで構成される。演算処理装置は、例えばＣＰＵまたはＭＰＵ等を含む。第７の記憶部７０８は、第７の制御部７０６の演算処理装置によって実行される予め定める制御プログラム、および、第２の表示ユニット７００に関する識別情報等を記憶している。識別情報は、例えば第２の表示ユニット７００のモデル番号、シリアル番号、および、ソフトウェアのバージョン情報の少なくとも１つを含む。
【００４９】
第７の通信部７１０は、電線Ｌから第７の制御部７０６に電力および情報を伝送し、第７の制御部７０６から電線Ｌに情報を伝送する。第７の接続部７１２は、第７の通信部７１０に設けられ、電線Ｌに対して着脱可能である。第７の接続部７１２は、接続端子を備え、電線Ｌは、第７の接続部７１２の接続端子に着脱可能なコネクタを有する。電線Ｌが第７の接続部７１２と接続されることにより、電線Ｌと第７の制御部７０６とが第７の通信部７１０を介して電気的に接続される。第６の接続部６１４（図３参照）の接続端子に接続可能な第１の端子がブラケットに設けられる場合、この第１端子は、第７の接続部７１２にも接続可能に構成される。
【００５０】
操作制御装置１００の第１の制御部１０２は、自転車用電子機器Ｅとの通信により接続機器情報を取得し、取得した接続機器情報、および、第１の記憶部１０４に記憶されている機器対応情報に基づいて、第５の操作部５０７を操作したときに動作する予め定める制御対象、および、第５の操作部５０７を操作したときに動作する予め定める制御対象の予め定める動作の少なくとも一方を設定または変更する。表１は、第１の記憶部１０４に記憶されている接続機器情報と操作対象情報との対応関係を規定した機器対応情報の一例を示すテーブルである。
【００５１】
【表１】
0006553440.tif 000002
接続機器情報は、接続可能な自転車用電子機器Ｅの識別情報を含む。以後、第５の操作部５０７に限らず操作部Ｐを操作したときに動作する予め定める制御対象、および、操作部Ｐを操作したときに動作する予め定める制御対象の予め定める動作の少なくとも一方を設定することを、“操作部の設定を行う”という場合がある。以後、第５の操作部５０７に限らず操作部Ｐを操作したときに動作する予め定める制御対象、および、操作部Ｐを操作したときに動作する予め定める制御対象の予め定める動作の少なくとも一方を変更することを、“操作部の設定を変更する”という場合がある。
【００５２】
第１の制御部１０２は、初期状態において、第５の操作部５０７を操作したときに動作する予め定める制御対象、および、第５の操作部５０７を操作したときに動作する予め定める制御対象の予め定める動作を設定していない。第１の制御部１０２は、バッテリＢから供給される電力により起動した場合、自転車用電子機器Ｅに接続機器情報を要求する要求信号を、電線Ｌに送信する。自転車用電子機器Ｅが要求信号を受信した場合、自転車用電子機器Ｅは接続機器情報を第１の制御部１０２に送信する。
【００５３】
第１の制御部１０２は、取得した自転車用電子機器Ｅに関する接続機器情報、および、第１の記憶部１０４に記憶されている接続機器情報に対応する操作対象情報に基づいて、第５の操作部５０７の設定を行う。第１の制御部１０２は、第５の操作部５０７を操作したときに動作する自転車用電子機器Ｅと、その自転車用電子機器Ｅの動作の少なくとも一方を設定する。
【００５４】
第５の操作部５０７の設定が行われた後に、関連する自転車用電子機器Ｅが自転車１０から取り外され、別の自転車用電子機器Ｅが自転車１０に取り付けられた場合、第１の制御部１０２は、別の自転車用電子機器Ｅから接続機器情報を取得する。第１の制御部１０２は、取得した自転車用電子機器Ｅに関する接続機器情報に基づいて、自転車用電子機器Ｅの構成、種類、および、機能のうちの少なくとも１つが変更されたか否かを判定する。第１の制御部１０２は、自転車用電子機器Ｅの構成、種類、および、機能のうちの少なくとも１つが変更されたと判定した場合、自転車用電子機器Ｅに関する接続機器情報、および、第１の記憶部１０４に記憶されている接続機器情報に対応する操作対象情報に基づいて、第５の操作部５０７の設定を変更する。
【００５５】
このように、第１の制御部１０２は、自転車用電子機器Ｅの構成、種類、および、機能のうちの少なくとも１つに応じて、予め定める制御対象および予め定める動作の少なくとも一方を設定または変更する。第１の制御部１０２はさらに、自転車用電子機器Ｅの構成、種類、または、機能が変更された場合、第５の操作部５０７に対応する制御対象、および、第５の操作部５０７に対応する制御対象の動作の少なくとも一方を設定または変更する。
【００５６】
図５は、第１の制御部１０２により実行される設定変更処理である。第１の制御部１０２は、電源スイッチ６０４または電源スイッチ７０４の操作により、バッテリＢから供給される電力により起動したときに設定変更処理を開始する。第１の制御部１０２は、ステップＳ１１において、今回の起動が初回の起動であるか否かを判定する。第１の制御部１０２は、今回の起動が初回の起動であると判定した場合、ステップＳ１２に移行する。第１の制御部１０２は、今回の起動が２回目以降の起動であると判定した場合、ステップＳ１４に移行する。
【００５７】
第１の制御部１０２は、ステップＳ１２において、自転車用電子機器Ｅとの通信により接続機器情報を取得する。第１の制御部１０２は、ステップＳ１３において、ステップＳ１２の処理により取得した接続機器情報、および、第１の記憶部１０４に記憶されている機器対応情報に基づいて、第５の操作部５０７の設定を行う。
【００５８】
第１の制御部１０２は、ステップＳ１４において、自転車用電子機器Ｅとの通信により再び接続機器情報を取得する。第１の制御部１０２は、ステップＳ１５において、通信可能な自転車用電子機器Ｅが変更されたか否かを判定する。具体的には、第１の制御部１０２は、ステップＳ１２の処理により取得した接続機器情報と、ステップＳ１４の処理により取得した接続機器情報とに基づいて判定する。第１の制御部１０２は、通信可能な自転車用電子機器Ｅが変更されたと判定した場合、ステップＳ１６に移行する。第１の制御部１０２は、通信可能な自転車用電子機器Ｅが変更されていないと判定した場合、ステップＳ１７に移行する。第１の制御部１０２は、今回の起動が２回目以降の起動である場合、前回の起動時において最後に取得した接続機器情報と、ステップＳ１４の処理により取得した接続機器情報とに基づいて、自転車用電子機器Ｅが変更されたか否かを判定する。
【００５９】
第１の制御部１０２は、ステップＳ１６において、ステップＳ１４の処理により取得した接続機器情報、および、第１の記憶部１０４に記憶されている機器対応情報に基づいて、第５の操作部５０７の設定を変更する。第１の制御部１０２は、ステップＳ１７において、電源スイッチ６０４または電源スイッチ７０４の操作によりバッテリＢからの電力の供給を停止する指示が与えられたか否かを判定する。第１の制御部１０２は、バッテリＢからの電力の供給を停止する指示が与えられていないと判定した場合、所定の周期でステップＳ１４の処理に移る。第１の制御部１０２は、バッテリＢからの電力の供給を停止する指示が与えられたと判定した場合、設定変更処理を終了する。
【００６０】
図６および図７を参照して、設定変更処理の一具体例について説明する。
図６に示されるとおり、第１の表示ユニット６００が電線Ｌに接続された場合、第１の制御部１０２は、第１の表示ユニット６００に関する接続機器情報を取得する。第１の制御部１０２は、取得した接続機器情報、および、第１の記憶部１０４に記憶されている表１に示す機器対応情報に基づいて、第５の操作部５０７の制御対象、および、第５の操作部５０７の操作に応じた自転車用電子機器Ｅの動作を設定または変更する。第１の制御部１０２は、第５の操作部５０７の制御対象が第１の表示ユニット６００に設定されていない場合、第５の操作部５０７の制御対象を第１の表示ユニット６００に設定または変更する。第１の制御部１０２は、第５の操作部５０７の操作に応じた自転車用電子機器Ｅの動作が第１の表示ユニット６００の表示画面の状態を切り替える動作に設定されていない場合、第５の操作部５０７の操作に応じた自転車用電子機器Ｅの動作を第１の表示ユニット６００の表示画面の状態を切り替える動作に設定または変更する。制御対象および動作の設定後または変更後に第５の操作部５０７が操作された場合、その操作に応じて第１の表示部６０２の画面の状態が切り替えられる。第１の表示部６０２は、例えば走行速度、走行距離、および、アシスト可能距離等を切り替えて、画面に表示することができる。
【００６１】
図７に示されるとおり、第２の表示ユニット７００が電線Ｌに接続された場合、第１の制御部１０２は、第２の表示ユニット７００に関する接続機器情報を取得する。第１の制御部１０２は、取得した接続機器情報、および、第１の記憶部１０４に記憶されている表１に示す機器対応情報に基づいて、第５の操作部５０７の制御対象、および、第５の操作部５０７の操作に応じた自転車用電子機器Ｅの動作を設定または変更する。第１の制御部１０２は、第５の操作部５０７の制御対象がランプ２４に設定されていない場合、制御対象をランプ２４に設定または変更する。第１の制御部１０２は、第５の操作部５０７の操作に応じた自転車用電子機器Ｅの動作がランプ２４の点灯状態を切り替える動作に設定されていない場合、第５の操作部５０７の操作に応じた自転車用電子機器Ｅの動作をランプ２４の点灯状態を切り替える動作に設定または変更する。制御対象および動作の設定後または変更後に第５の操作部５０７が操作された場合、その操作に応じてランプ２４の点灯状態が切り替えられる。
【００６２】
第１の実施形態によれば、以下の効果が得られる。
（１）操作制御装置１００は、第５の操作部５０７を操作したときに動作する予め定める制御対象、および、第５の操作部５０７を操作したときに動作する予め定める制御対象の予め定める動作の少なくとも一方を自動的に設定する。この構成によれば、ユーザが第５の操作部５０７の設定を行う必要がなく、ユーザビリティが向上する。
（２）操作制御装置１００は、自転車用電子機器Ｅの構成、種類、または、機能が変更された場合、第５の操作部５０７の設定を自動的に変更する。この構成によれば、ユーザが第５の操作部５０７の設定を変更する必要がなく、ユーザビリティが向上する。
【００６３】
（第２の実施形態）
第２の実施形態の操作制御装置１００は、以下に説明する点において第１の実施形態の操作制御装置１００と相違し、その他の点において第１の実施形態の操作制御装置１００と実質的に同じ構成を備える。第２の実施形態の操作制御装置１００の説明は、第１の実施形態の操作制御装置１００と共通する構成に同一の符号を付し、その構成の説明の一部または全部を省略する。
【００６４】
表２は、第１の記憶部１０４に記憶されている接続機器情報と操作対象情報との対応関係を規定した機器対応情報の一例を示すテーブルである。表２に示される「ランプなし」とは、第１の制御部１０２によりランプ２４に関する接続機器情報が取得されないことを示唆する。すなわち、ランプ２４が電線Ｌに接続されていない。
【００６５】
【表２】
0006553440.tif 000003
第１の表示ユニット６００およびランプ２４が電線Ｌに接続された場合、第１の制御部１０２は、第１の表示ユニット６００およびランプ２４に関する接続機器情報を取得する。第１の制御部１０２は、取得した接続機器情報、および、表２に示す機器対応情報に基づいて、第５の操作部５０７の制御対象を第１の表示ユニット６００に設定または変更し、第５の操作部５０７の操作に応じた自転車用電子機器Ｅの動作を第１の表示ユニット６００の表示画面の状態を切り替える動作に設定または変更する。制御対象および動作の設定後または変更後に第５の操作部５０７が操作された場合、その操作に応じて第１の表示部６０２の画面の状態が切り替えられる。
【００６６】
第１の表示ユニット６００が電線Ｌに接続され、ランプ２４が電線Ｌに接続されていない場合、第１の制御部１０２は、第１の表示ユニット６００に関する接続機器情報を取得し、ランプ２４に関する接続機器情報を取得しない。第１の制御部１０２は、取得した接続機器情報、および、表２に示す機器対応情報に基づいて、第５の操作部５０７の制御対象を第１の表示ユニット６００に設定または変更し、第５の操作部５０７の操作に応じた自転車用電子機器Ｅの動作を第１の表示ユニット６００の表示画面の状態を切り替える動作に設定または変更する。制御対象および動作の設定後または変更後に第５の操作部５０７が操作された場合、その操作に応じて第１の表示部６０２の画面の状態が切り替えられる。
【００６７】
第２の表示ユニット７００およびランプ２４が電線Ｌに接続された場合、第１の制御部１０２は、第２の表示ユニット７００およびランプ２４に関する接続機器情報を取得する。第１の制御部１０２は、取得した接続機器情報、および、表２に示す機器対応情報に基づいて、第５の操作部５０７の制御対象をランプ２４に設定または変更し、第５の操作部５０７の操作に応じた自転車用電子機器Ｅの動作をランプ２４の点灯状態を切り替える動作に設定または変更する。制御対象および動作の設定後または変更後に第５の操作部５０７が操作された場合、その操作に応じてランプ２４の点灯状態が切り替えられる。
【００６８】
第２の表示ユニット７００が電線Ｌに接続され、ランプ２４が電線Ｌに接続されていない場合、第１の制御部１０２は、第２の表示ユニット７００に関する接続機器情報を取得し、ランプ２４に関する接続機器情報を取得しない。第１の制御部１０２は、取得した接続機器情報、および、表２に示す機器対応情報に基づいて、第５の操作部５０７の制御対象を第２の表示ユニット７００に設定または変更し、第５の操作部５０７の操作に応じた自転車用電子機器Ｅの動作を第２の表示ユニット７００の表示画面の状態を切り替える動作に設定または変更する。制御対象および動作の設定後または変更後に第５の操作部５０７が操作された場合、その操作に応じて第２の表示部７０２の画面の状態が切り替えられる。
【００６９】
第２の実施形態によれば、第１の実施形態により得られる（１）および（２）の効果に加えて、さらに以下の効果が得られる。
（３）第１の記憶部１０４に記憶されている機器対応情報には、接続機器情報として、複数の自転車用電子機器Ｅに関する情報が含まれている。このため、操作制御装置１００に接続される自転車用電子機器Ｅの組み合わせに応じて、第５の操作部５０７の設定を行ったり、第５の操作部５０７の設定を変更したりすることができる。
【００７０】
（第３の実施形態）
第３の実施形態の操作制御装置１００は、以下に説明する点において第２の実施形態の操作制御装置１００と相違し、その他の点において第２の実施形態の操作制御装置１００と実質的に同じ構成を備える。第３の実施形態の操作制御装置１００の説明は、第２の実施形態の操作制御装置１００と共通する構成に同一の符号を付し、その構成の説明の一部または全部を省略する。
【００７１】
操作制御装置１００の第１の記憶部１０４に記憶される情報は、１つの接続機器情報と複数の操作対象情報とを対応付けた機器対応情報、および、複数の操作対象情報に対応させて、優先順位に関する操作対象順位情報を含む。操作対象順位情報は、例えば自転車１０を運転する運転者のユーザビリティを考慮して予め決められる。操作対象順位情報は、外部の機器によって、または、操作制御装置１００に接続される操作部Ｐを用いてユーザが設定することができるようにしてもよい。
【００７２】
操作制御装置１００の第１の制御部１０２は、自転車用電子機器Ｅとの通信により接続機器情報を取得し、取得した接続機器情報、ならびに、第１の記憶部１０４に記憶されている機器対応情報および操作対象順位情報に基づいて、第５の操作部５０７を操作したときに動作する予め定める制御対象、および、第５の操作部５０７を操作したときに動作する予め定める制御対象の予め定める動作の少なくとも一方を設定または変更する。表３は、第１の記憶部１０４に記憶されている機器対応情報および操作対象順位情報の一例を示すテーブルである。
【００７３】
【表３】
0006553440.tif 000004
第２の表示ユニット７００およびランプ２４が電線Ｌに接続された場合、第１の制御部１０２は、第２の表示ユニット７００およびランプ２４に関する接続機器情報を取得する。第１の制御部１０２は、取得した接続機器情報、および、表３に示す機器対応情報および操作対象順位情報に基づいて、第５の操作部５０７の制御対象、および、第５の操作部５０７の操作に応じた自転車用電子機器Ｅの動作を設定または変更する。
【００７４】
第１の制御部１０２が取得した接続機器情報にランプ２４の点灯状態を切り替える動作に設定された操作部Ｐに関する情報が含まれない場合、第１の制御部１０２は、第５の操作部５０７の制御対象をランプ２４に設定または変更し、第５の操作部５０７の操作に応じた自転車用電子機器Ｅの動作をランプ２４の点灯状態を切り替える動作に設定または変更する。制御対象および動作の設定後または変更後に第５の操作部５０７が操作された場合、その操作に応じてランプ２４の点灯状態が切り替えられる。
【００７５】
第１の制御部１０２が取得した接続機器情報にランプ２４の点灯状態を切り替える動作に設定された操作部Ｐに関する情報が含まれる場合、第１の制御部１０２は、第５の操作部５０７の制御対象をランプ２４よりも優先順位の低い第２の表示ユニット７００に設定または変更し、第５の操作部５０７の操作に応じた自転車用電子機器Ｅの動作を第２の表示ユニット７００の表示画面の状態を切り替える動作に設定または変更する。制御対象および動作の設定後または変更後に第５の操作部５０７が操作された場合、その操作に応じて第２の表示部７０２の画面の状態が切り替えられる。
【００７６】
第３の実施形態によれば、第２の実施形態により得られる（１）〜（３）の効果に加えて、さらに以下の効果が得られる。
（４）操作制御装置１００は、第１の記憶部１０４に記憶されている操作対象順位情報に基づいて、第５の操作部５０７の設定を行ったり、第５の操作部５０７の設定を変更したりするので、運転者のユーザビリティをさらに向上させることができる。
【００７７】
（第４の実施形態）
第４の実施形態の操作制御装置１００は、以下に説明する点において第２の実施形態の操作制御装置１００と相違し、その他の点において第２の実施形態の操作制御装置１００と実質的に同じ構成を備える。第４の実施形態の操作制御装置１００の説明は、第２の実施形態の操作制御装置１００と共通する構成に同一の符号を付し、その構成の説明の一部または全部を省略する。
【００７８】
図８に示されるとおり、第２の操作ユニット５００は、第５の操作部５０７（図３参照）と実質的に同じ構成である第６の操作部５１６および第７の操作部５１８をさらに含む。各操作部５１６、５１８は、予め定める制御対象に、予め定める動作を実行させるための操作部Ｐである。操作制御装置１００の第１の記憶部１０４には、接続機器情報と操作対象情報とを対応付けた機器対応情報が第６および第７の操作部５１６、５１８毎に記憶されている。
【００７９】
操作制御装置１００の第１の制御部１０２は、自転車用電子機器Ｅとの通信により接続機器情報を取得し、取得した接続機器情報、および、第１の記憶部１０４に記憶されている機器対応情報に基づいて、各操作部５１６、５１８の設定を行ったり、各操作部５１６、５１８の設定を変更したりする。表４は、第１の記憶部１０４に記憶されている接続機器情報と操作対象情報との対応関係を規定した第６および第７の操作部５１６、５１８毎の機器対応情報の一例を示すテーブルである。
【００８０】
【表４】
0006553440.tif 000005
第１の制御部１０２は、第１の表示ユニット６００および第２の表示ユニット７００のいずれが電線Ｌに接続されているか、および、ランプが接続されているか否かに基づいて、各操作部５１６、５１８の制御対象、および、各操作部５１６、５１８の操作に応じた自転車用電子機器Ｅの動作を設定または変更する。第１の制御部１０２の処理について、接続機器情報、制御対象、および、動作が、前述の実施形態と同様である部分については、その説明を省略する。
【００８１】
第１の制御部１０２は、１）第１の表示ユニット６００が電線Ｌに接続され、ランプ２４が電線Ｌに接続されているとき、２）第１の表示ユニット６００が電線Ｌに接続され、ランプ２４が電線Ｌに接続されていないとき、３）第２の表示ユニット７００が電線Ｌに接続され、ランプ２４が電線Ｌに接続されていないときに、第７の操作部５１８の制御対象を変速ユニット３００に設定または変更し、第７の操作部５１８の操作に応じた自転車用電子機器Ｅの動作を変速ユニット３００の変速モードを切り替える動作に設定または変更する。変速モードは、例えばマニュアルモード、オートモード、および、シンクロモードを含む。マニュアルモードは、例えば第１の操作ユニット４００の操作に応じて、自転車１０の変速比が変更されるモードである。オートモードは、例えば車速センサ２８の検出結果等に基づいて、自転車１０の変速比が自動的に変更されるモードである。シンクロモードは、例えば自転車１０に複数の変速機３０２が搭載されている場合に、第１の操作ユニット４００の操作等に応じて、自転車１０の変速比が段階的に変更されるように複数の変速機３０２を動作させるモードである。制御対象および動作の設定後または変更後に第７の操作部５１８が操作された場合、その操作に応じて変速ユニット３００の変速モードが切り替えられる。
【００８２】
第４の実施形態によれば、第２の実施形態により得られる（１）〜（３）の効果に加えて、さらに以下の効果が得られる。
（５）操作制御装置１００は、複数の操作部５１６、５１８の設定を自動で行ったり、複数の操作部５１６、５１８の設定を自動で変更したりすることができる。
【００８３】
（第５の実施形態）
第５の実施形態の操作制御装置１００は、以下に説明する点において第１の実施形態の操作制御装置１００と相違し、その他の点において第１の実施形態の操作制御装置１００と実質的に同じ構成を備える。第５の実施形態の操作制御装置１００の説明は、第１の実施形態の操作制御装置１００と共通する構成に同一の符号を付し、その構成の説明の一部または全部を省略する。
【００８４】
図９に示されるとおり、自転車用電子機器Ｅは、サスペンション４４、鍵ユニット４６、記録ユニット４８、および、電動ブレーキ装置５０をさらに含む。サスペンション４４は、例えばフレーム１２（図１参照）のフロントフォークに設けられ、伸縮することによって前輪１４（図１参照）が地面等から受ける力を緩衝する。サスペンション４４は、フレーム１２に設けられるリアサスペンションであってもよい。鍵ユニット４６は、例えばフレーム１２および後輪１６（図１参照）に跨るように取り付けられ、鍵を施錠することにより後輪１６の回転を妨げる。記録ユニット４８は、例えばハンドルバー１８（図１参照）の中間部分に取り付けられる。記録ユニット４８は、例えば画像、音声、および、ラップタイム等を記録可能な装置である。
【００８５】
電動ブレーキ装置５０は、前輪１４および後輪１６を制動するためにフレーム１２に設けられるブレーキ装置、および、ブレーキ装置を駆動するアクチュエータ（ともに図示略）を含む。ブレーキ装置は、ディスクブレーキ装置、リムブレーキ装置、ローラブレーキ装置、および、バンドブレーキ装置のいずれであってもよい。電動ブレーキ装置５０は、操作部Ｐの操作に応じて、ブレーキを掛けることができる。電動ブレーキ装置５０は、前輪１４および後輪１６の一方を制動させるように構成されてもよい。
【００８６】
本実施形態の変速ユニット３００は、ディレイラ（図示略）を含む。ディレイラは、フロントディレイラおよびリアディレイラの少なくとも一方を含む。
操作制御装置１００は、自転車用電子機器Ｅと通信可能な無線通信部１１０をさらに含む。無線通信部１１０は、例えばペアリングすることにより自転車用電子機器Ｅと無線通信可能に接続する。操作制御装置１００の第１の制御部１０２は、例えば無線通信部１１０による自転車用電子機器Ｅとの無線通信により接続機器情報を取得可能である。
【００８７】
操作制御装置１００の第１の記憶部１０４に記憶される情報は、複数の接続機器情報のそれぞれに操作対象情報を対応付けた機器対応情報、および、複数の接続機器情報に対応させて、優先順位に関する接続機器順位情報を含む。接続機器順位情報は、例えば自転車１０（図１参照）を運転する運転者のユーザビリティを考慮して予め決められる。
【００８８】
第１の記憶部１０４に記憶される情報はさらに、第５の操作部５０７の自転車１０への配置に関する配置情報を含む。配置情報は、例えば「近」、「中」、および、「遠」により表される。「近」は、例えば運転者がハンドルバー１８を握りながら操作することが可能な位置に第５の操作部５０７が設けられていることを示唆する。すなわち、第２の操作ユニット５００に設けられる第５の操作部５０７の配置情報は、「近」である。「中」は、例えば運転者がハンドルバー１８から手を離すことにより操作することが可能な位置に第５の操作部５０７が設けられていることを示唆する。第５の操作部５０７が例えばハンドルバー１８の中間部分に取り付けられる第１の表示ユニット６００等に設けられる場合、その配置情報は「中」である。「遠」は、例えば運転者がハンドルバー１８から手を離したとしても操作できない、または、操作しにくい位置に第５の操作部５０７が設けられていることを示唆する。第５の操作部５０７が例えばシートチューブまたはキャリア等に設けられる場合、その配置情報は「遠」である。
【００８９】
第１の記憶部１０４に記憶される情報はさらに、配置情報に対応させて、第５の操作部５０７に操作対象情報を関連付けることが推奨されるか否かを示す推奨情報を含む。推奨情報により推奨される場合、第５の操作部５０７にその操作対象情報が関連付けられる。一方、推奨情報により推奨されない場合、第５の操作部５０７にその操作対象情報が関連付けられない。
【００９０】
第１の制御部１０２は、自転車用電子機器Ｅとの通信により接続機器情報を取得し、取得した接続機器情報、ならびに、第１の記憶部１０４に記憶されている機器対応情報、接続機器順位情報、配置情報、および、推奨情報に基づいて、第５の操作部５０７を操作したときに動作する予め定める制御対象、および、第５の操作部５０７を操作したときに動作する予め定める制御対象の予め定める動作の少なくとも一方を設定または変更する。表５は、第１の記憶部１０４に記憶されている機器対応情報、接続機器順位情報、配置情報、および、推奨情報の一例を示すテーブルである。
【００９１】
【表５】
0006553440.tif 000006
電動ブレーキ装置５０が電線Ｌに接続されている場合、第１の制御部１０２は、電動ブレーキ装置５０に関する接続機器情報を取得する。電動ブレーキ装置５０に関する接続機器情報には、操作されたときに、例えば電動ブレーキ装置５０のオンおよびオフを切り替える動作を実行するように設定された操作部Ｐに関する情報が含まれる。電動ブレーキ装置５０は、例えば操作部Ｐであるブレーキレバー２０の移動量、または、ボタン式の操作部Ｐを押す量に応じてアクチュエータを動作させ、電動ブレーキ装置５０によって前輪１４および後輪１６を制動する。第１の制御部１０２は、取得した接続機器情報、および、表５に示す機器対応情報、接続機器順位情報、配置情報、および、推奨情報に基づいて、第５の操作部５０７の制御対象、および、第５の操作部５０７の操作に応じた自転車用電子機器Ｅの動作を設定または変更する。
【００９２】
第１の制御部１０２が取得した接続機器情報に、操作されたときに電動ブレーキ装置５０のオンおよびオフを切り替える動作を実行するように設定された操作部Ｐに関する情報が含まれない場合、第１の制御部１０２は、第５の操作部５０７の制御対象を電動ブレーキ装置５０に設定または変更し、第５の操作部５０７の操作に応じた自転車用電子機器Ｅの動作を電動ブレーキ装置５０のオンおよびオフを切り替える動作に設定または変更する。制御対象および動作の設定後または変更後に第５の操作部５０７が操作された場合、その操作に応じて前輪１４および後輪１６が制動される。一方、第１の制御部１０２が取得した接続機器情報に、操作されたときに電動ブレーキ装置５０のオンおよびオフを切り替える動作を実行するように設定された操作部Ｐに関する情報が含まれる場合、第１の制御部１０２により次の処理が実行される。
【００９３】
バッテリＢが電線Ｌに接続されている場合、第１の制御部１０２は、バッテリＢに関する接続機器情報を取得する。バッテリＢに関する接続機器情報には、操作されたときに、例えばバッテリＢからの電力の供給のオンおよびオフを切り替える動作を実行するように設定された操作部Ｐに関する情報が含まれる。第１の制御部１０２は、取得した接続機器情報、および、表５に示す機器対応情報、接続機器順位情報、配置情報、および、推奨情報に基づいて、第５の操作部５０７の制御対象、および、第５の操作部５０７の操作に応じた自転車用電子機器Ｅの動作を設定または変更する。
【００９４】
第１の制御部１０２が取得した接続機器情報に、操作されたときにバッテリＢからの電力の供給のオンおよびオフを切り替える動作を実行するように設定された操作部Ｐに関する情報が含まれない場合、第１の制御部１０２は、第５の操作部５０７の制御対象を電動ブレーキ装置５０よりも優先順位が低いバッテリＢに設定または変更し、第５の操作部５０７の操作に応じた自転車用電子機器Ｅの動作をバッテリＢからの電力の供給のオンおよびオフを切り替える動作に設定または変更する。制御対象および動作の設定後または変更後に第５の操作部５０７が操作された場合、その操作に応じてバッテリＢからの電力の供給のオンおよびオフが切り替えられる。一方、第１の制御部１０２が取得した接続機器情報に、操作されたときにバッテリＢの電源の供給のオンおよびオフを切り替える動作に設定された操作部Ｐに関する情報が含まれる場合、第１の制御部１０２により次の処理が実行される。
【００９５】
第１の制御部１０２は、上記のとおり優先順位に従って処理を進める。以下では、第１の制御部１０２が設定および設定の変更可能な予め定める制御対象、および、予め定める制御対象の予め定める動作について説明する。
【００９６】
第１の制御部１０２は、第５の操作部５０７の制御対象を鍵ユニット４６に設定または変更し、第５の操作部５０７の操作に応じた自転車用電子機器Ｅの動作を鍵ユニット４６の鍵を施錠する動作に設定または変更することができる。制御対象および動作の設定後または変更後に第５の操作部５０７が操作された場合、その操作に応じて鍵ユニット４６の鍵が施錠される。
【００９７】
第１の制御部１０２は、第５の操作部５０７の制御対象をランプ２４に設定または変更し、第５の操作部５０７の操作に応じた自転車用電子機器Ｅの動作をランプ２４の点灯状態を切り替える動作に設定または変更することができる。制御対象および動作の設定後または変更後に第５の操作部５０７が操作された場合、その操作に応じてランプ２４の点灯状態が切り替えられる。
【００９８】
第１の制御部１０２は、第５の操作部５０７の制御対象を変速ユニット３００に設定または変更し、第５の操作部５０７の操作に応じた自転車用電子機器Ｅの動作を変速ユニット３００の変速段数を切り替える動作に設定または変更することができる。制御対象および動作の設定後または変更後に第５の操作部５０７が操作された場合、その操作に応じて自転車１０の変速比が変更される。
【００９９】
第１の制御部１０２は、第５の操作部５０７の制御対象を変速ユニット３００に設定または変更し、第５の操作部５０７の操作に応じた自転車用電子機器Ｅの動作を変速ユニット３００の変速モードを切り替える動作に設定または変更することができる。制御対象および動作の設定後または変更後に第５の操作部５０７が操作された場合、その操作に応じて変速ユニット３００の変速モードが切り替えられる。
【０１００】
第１の制御部１０２は、第５の操作部５０７の制御対象をアシストユニット２００に設定または変更し、第５の操作部５０７の操作に応じた自転車用電子機器Ｅの動作をアシストユニット２００のアシストモードを切り替える動作に設定または変更することができる。制御対象および動作の設定後または変更後に第５の操作部５０７が操作された場合、その操作に応じてアシストユニット２００のアシストモードが切り替えられる。
【０１０１】
第１の制御部１０２は、第５の操作部５０７の制御対象をサスペンション４４に設定または変更し、第５の操作部５０７の操作に応じた自転車用電子機器Ｅの動作をサスペンションモードのオンおよびオフを切り替える動作に設定または変更することができる。制御対象および動作の設定後または変更後に第５の操作部５０７が操作された場合、その操作に応じてサスペンションモードのオンおよびオフが切り替えられる。サスペンションモードがオンに設定される場合、例えばサスペンション４４の伸縮が可能になり、サスペンションモードがオフに設定される場合、サスペンション４４の伸縮が不可になる。
【０１０２】
第１の制御部１０２は、第５の操作部５０７の制御対象を第１の表示ユニット６００に設定または変更し、第１の制御部１０２は、第５の操作部５０７の操作に応じた自転車用電子機器Ｅの動作を第１の表示ユニット６００の表示画面の状態を切り替える動作に設定または変更することができる。制御対象および動作の設定後または変更後に第５の操作部５０７が操作された場合、その操作に応じて第１の表示部６０２の画面の状態が切り替えられる。
【０１０３】
第１の制御部１０２は、第５の操作部５０７の制御対象を第１の表示ユニット６００に設定または変更し、第５の操作部５０７の操作に応じた自転車用電子機器Ｅの動作をバックライトのオンおよびオフを切り替える動作に設定または変更することができる。制御対象および動作の設定後または変更後に第５の操作部５０７が操作された場合、その操作に応じてバックライトのオンおよびオフが切り替えられる。バックライトがオンに設定されることにより、第１の表示部６０２の表示画面のバックライトが点灯する。
【０１０４】
第１の制御部１０２は、第５の操作部５０７の制御対象を変速ユニット３００に設定または変更し、第５の操作部５０７の操作に応じた自転車用電子機器Ｅの動作を変速ユニット３００が多段変速する動作に設定または変更することができる。多段変速とは、変速ユニット３００の変速段数が２段階以上シフトアップまたはシフトダウンする動作である。制御対象および動作の設定後または変更後に第５の操作部５０７が操作された場合、その操作に応じて自転車１０の変速比が変更される。
【０１０５】
第１の制御部１０２は、第５の操作部５０７の制御対象を変速ユニット３００に設定または変更し、第５の操作部５０７の操作に応じた自転車用電子機器Ｅの動作をアジャストモードのオンおよびオフを切り替える動作に設定または変更することができる。制御対象および動作の設定後または変更後に第５の操作部５０７が操作された場合、その操作に応じてアジャストモードのオンおよびオフが切り替えられる。アジャストモードがオンに設定されることにより、例えば第３の操作部５０４および第４の操作部５０６の少なくとも一方を用いて、フロントスプロケット３８とフロントディレイラのチェーンガイドとの位置関係、および／または、リアスプロケット４０とリアディレイラのチェーンガイドとの位置関係を調整することができる。
【０１０６】
第１の制御部１０２は、第５の操作部５０７の制御対象を変速ユニット３００に設定または変更し、第５の操作部５０７の操作に応じた自転車用電子機器Ｅの動作を変速ユニット３００のセイバーリセットを実行する動作に設定または変更することができる。制御対象および動作の設定後または変更後に第５の操作部５０７が操作された場合、その操作に応じてセイバーリセットが実行される。セイバーリセットが実行されることにより、変速機３０２が強い衝撃を受けることにより一時的に解除された変速機３０２とアクチュエータ３０４との接続が復旧する。
【０１０７】
第１の制御部１０２は、第５の操作部５０７の制御対象を無線通信部１１０に設定または変更し、第５の操作部５０７の操作に応じた自転車用電子機器Ｅの動作をペアリングのオンおよびオフに切り替える動作に設定または変更することができる。制御対象および動作の設定後または変更後に第５の操作部５０７が操作された場合、その操作に応じてペアリングのオンおよびオフが切り替えられる。
【０１０８】
第１の制御部１０２は、第５の操作部５０７の制御対象を記録ユニット４８に設定または変更し、第５の操作部５０７の操作に応じた自転車用電子機器Ｅの動作を記録ユニット４８によりデータ、画像、または、音声等を記録する動作に設定または変更することができる。制御対象および動作の設定後または変更後に第５の操作部５０７が操作された場合、その操作に応じて記録ユニット４８によりデータ、画像、または、音声等の記録が開始または停止される。
【０１０９】
第１の制御部１０２は、第５の操作部５０７の制御対象を記録ユニット４８に設定または変更し、第５の操作部５０７の操作に応じた自転車用電子機器Ｅの動作を記録ユニット４８によりラップタイムを記録する動作に設定または変更することができる。制御対象および動作の設定後または変更後に第５の操作部５０７が操作された場合、その操作に応じて記録ユニット４８によりラップタイムの記録が開始または停止される。
【０１１０】
第１の制御部１０２は、第５の操作部５０７の制御対象を第１の表示ユニット６００に設定または変更し、第５の操作部５０７の操作に応じた自転車用電子機器Ｅの動作を第１の表示ユニット６００に記録されている走行距離をクリアにする動作に設定または変更することができる。制御対象および動作の設定後または変更後に第５の操作部５０７が操作された場合、その操作に応じて第１の表示ユニット６００に記憶されている走行距離が削除される。
【０１１１】
以上のように、第１の制御部１０２は、第５の操作部５０７を操作したときに動作する予め定める制御対象、および、第５の操作部５０７を操作したときに動作する予め定める制御対象の予め定める動作の少なくとも一方を設定または変更する。第５の操作部５０７の配置情報が「中」または「遠」である場合において、第５の操作部５０７に関連付けることが推奨されない操作対象情報は、優先順位が高い場合であっても第５の操作部５０７に関連付けられない。
【０１１２】
第５の実施形態によれば、第１の実施形態により得られる（１）および（２）の効果に加えて、さらに以下の効果が得られる。
（６）操作制御装置１００は、第１の記憶部１０４に記憶されている接続機器順位情報に基づいて、第５の操作部５０７の設定を行ったり、第５の操作部５０７の設定を変更したりするので、運転者のユーザビリティをさらに向上させることができる。
（７）操作制御装置１００は、第１の記憶部１０４に記憶されている配置情報および推奨情報に基づいて、第５の操作部５０７の設定を行ったり、設定を変更したりするので、運転者の操作性の向上に貢献する。
【０１１３】
（第６の実施形態）
図１０に示されるとおり、自転車用表示装置８００は、第３の表示部８０２、操作部Ｐ、ならびに、第３の表示部８０２および操作部Ｐが設けられ、自転車に取り付け可能なハウジング８０４を含む。第３の表示部８０２は、例えば液晶ディスプレイである。第３の表示部８０２は、自転車の走行状態および走行環境の少なくとも一方に関する情報を表示可能である。自転車用表示装置８００はさらに、自転車に搭載可能な自転車用電子機器Ｅ（図１１参照）と通信可能であり、操作部Ｐの操作に応じて予め定める制御対象を動作させる第８の制御部８０６を含む。本実施形態の自転車用表示装置８００の説明において、前述の実施形態において説明した構成と同じものについては、同一の参照符号を用いて説明を省略する場合がある。
【０１１４】
自転車用表示装置８００はさらに、電源スイッチ８０８、第８の操作部８１０、および、第９の操作部８１２を含む。電源スイッチ８０８は、自転車用表示装置８００の電源のオンおよびオフを切り替えるために操作される操作部Ｐである。第８の操作部８１０は、予め定める制御対象に、予め定める動作をさせるための操作部Ｐである。第９の操作部８１２は、予め定める制御対象に、予め定める動作をさせるための操作部Ｐである。各操作部８１０、８１２は、第１の実施形態の第５の操作部５０７（図３参照）と実質的に同じ構成である。
【０１１５】
自転車用表示装置８００は、第１の表示ユニット６００等と同様に自転車に取り付け可能である。自転車用表示装置８００が自転車に搭載された場合、すなわち、自転車用表示装置８００が自転車の電線Ｌ（図１１参照）と電気的に接続された場合、電源スイッチ８０８が操作されることにより、自転車用表示装置８００を含む自転車用電子機器Ｅに、バッテリＢから電力が供給される。電源スイッチ８０８が操作されることにより、自転車用表示装置８００の電源のオンおよびオフが切り替えられる。電源スイッチ８０８が操作され、バッテリＢから電力が供給されることにより、各操作部８１０、８１２の操作が可能になる。
【０１１６】
自転車用表示装置８００は、第８の制御部８０６または外部の機器からの指示によって、予め定める制御対象を設定可能または変更可能である。第８の制御部８０６は、例えば自転車用電子機器Ｅの構成、種類、および、機能のうちの少なくとも１つに応じて、第８の操作部８１０および第９の操作部８１２のそれぞれについて、操作したときに動作する予め定める制御対象、および、操作したときに動作する予め定める制御対象の予め定める動作の少なくとも一方を設定または変更する。第８の制御部８０６はさらに、自転車用電子機器Ｅの構成、種類、または、機能が変更された場合、各操作部８１０、８１２の設定または各操作部８１０、８１２の設定を変更する。第８の制御部８０６は、予め定める制御プログラムを実行する演算処理装置を含んで構成される。演算処理装置は、例えばＣＰＵまたはＭＰＵ等を含む。第８の制御部８０６は、電線Ｌを介して送付される情報を第３の表示部８０２に表示させたり、第３の表示部８０２の表示画面の状態を切り替えたりする。
【０１１７】
図１１に示されるとおり、自転車用表示装置８００が設けられる自転車には、例えばランプ２４、バッテリＢ、トルクセンサ２６、車速センサ２８、アシストユニット２００を含むドライブユニット３２、変速ユニット３００、第１の操作ユニット４００、および、第５の操作部５０７（図３参照）が省略された第２の操作ユニット５００が搭載されている。この自転車は、自転車用電子機器Ｅ間において電力線通信を実行できるように各自転車用電子機器Ｅが電線Ｌにより電気的に接続されている。
【０１１８】
自転車用表示装置８００はさらに、第８の記憶部８１４、第８の通信部８１６、および、第８の接続部８１８を含む。第８の記憶部８１４は、第８の制御部８０６の演算処理装置によって実行される予め定める制御プログラムを記憶している。第８の記憶部８１４に記憶される情報は、予め定める制御対象および予め定める動作の少なくとも一方に対応する操作対象情報、ならびに、自転車用電子機器Ｅの構成、種類、および、機能の少なくとも１つに対応する接続機器情報と操作対象情報とを対応付けた機器対応情報を含む。機器対応情報は、第８および第９の操作部８１０、８１２毎に記憶されている。
【０１１９】
第８の通信部８１６は、電線Ｌから第８の制御部８０６に電力および情報を伝送し、第８の制御部８０６から電線Ｌに情報を伝送する。第８の接続部８１８は、第８の通信部８１６に設けられ、自転車用電子機器Ｅに電線Ｌを介して接続される。第８の接続部８１８は、接続端子を備え、電線Ｌは、第８の接続部８１８の接続端子に着脱可能なコネクタを有する。第８の接続部８１８は、例えば電線Ｌに対して着脱可能である。電線Ｌが第８の接続部８１８と接続されることにより、電線Ｌと第８の制御部８０６とが第８の通信部８１６を介して電気的に接続される。第８の接続部８１８と、電線Ｌとは、ブラケットを介して接続されてもよい。この場合、第８の接続部８１８の接続端子に接続可能な第１の端子と、電線Ｌに接続可能な第２の端子とがブラケットに設けられる。
【０１２０】
第８の制御部８０６は、自転車用電子機器Ｅとの通信により接続機器情報を取得し、取得した接続機器情報、および、第８の記憶部８１４に記憶されている機器対応情報に基づいて、各操作部８１０、８１２を操作したときに動作する予め定める制御対象、および、各操作部８１０、８１２を操作したときに動作する予め定める制御対象の予め定める動作の少なくとも一方を設定または変更する。表６は、第８の記憶部８１４に記憶されている接続機器情報と操作対象情報との対応関係を規定した第８および第９の操作部８１０、８１２毎の機器対応情報の一例を示すテーブルである。
【０１２１】
【表６】
0006553440.tif 000007
ドライブユニット３２およびランプ２４が電線Ｌに接続された場合、第８の制御部８０６は、ドライブユニット３２およびランプ２４に関する接続機器情報を取得する。第８の制御部８０６は、取得した接続機器情報、および、表６に示す機器対応情報に基づいて、各操作部８１０、８１２の制御対象、および、各操作部８１０、８１２の操作に応じた自転車用電子機器Ｅの動作を設定または変更する。第８の制御部８０６は、ドライブユニット３２およびランプ２４に関する接続機器情報を取得した場合、第８の操作部８１０の制御対象をバッテリＢに設定または変更し、第８の操作部８１０の操作に応じた自転車用電子機器Ｅの動作をバッテリＢからの電源の供給のオンおよびオフを切り替える動作に設定または変更する。制御対象および動作の設定後または変更後に第８の操作部８１０が操作された場合、その操作に応じてバッテリＢからの電源の供給のオンおよびオフが切り替えられる。
【０１２２】
また、第８の制御部８０６は、ドライブユニット３２およびランプ２４に関する接続機器情報を取得した場合、第９の操作部８１２の制御対象をランプ２４に設定または変更し、第９の操作部８１２の操作に応じた自転車用電子機器Ｅの動作をランプ２４の点灯状態を切り替える動作に設定または変更する。制御対象および動作の設定後または変更後に第９の操作部８１２が操作された場合、その操作に応じてランプ２４の点灯状態が切り替えられる。
【０１２３】
ドライブユニット３２が電線Ｌに接続され、ランプ２４が電線Ｌに接続されていない場合、ドライブユニット３２に関する接続機器情報を取得し、ランプ２４に関する接続機器情報を取得しない。第８の制御部８０６は、取得した接続機器情報、および、表６に示す機器対応情報に基づいて、各操作部８１０、８１２の制御対象、および、各操作部８１０、８１２の操作に応じた自転車用電子機器Ｅの動作を設定または変更する。第８の制御部８０６は、ドライブユニット３２に関する接続機器情報を取得し、ランプ２４に関する接続機器情報を取得しなかった場合、第８の操作部８１０の制御対象をバッテリＢに設定または変更し、第８の操作部８１０の操作に応じた自転車用電子機器Ｅの動作をバッテリＢからの電力の供給のオンおよびオフを切り替える動作に設定または変更する。制御対象および動作の設定後または変更後に第８の操作部８１０が操作された場合、その操作に応じてバッテリＢからの電力の供給のオンおよびオフが切り替えられる。
【０１２４】
また、第８の制御部８０６は、ドライブユニット３２に関する接続機器情報を取得し、ランプ２４に関する接続機器情報を取得しなかった場合、第９の操作部８１２の制御対象を変速ユニット３００に設定または変更し、第９の操作部８１２の操作に応じた自転車用電子機器Ｅの動作を変速ユニット３００の変速モードを切り替える動作に設定または変更する。制御対象および動作の設定後または変更後に第９の操作部８１２が操作された場合、その操作に応じて変速ユニット３００の変速モードが切り替えられる。
【０１２５】
第６の実施形態によれば、以下の効果が得られる。
（８）自転車用表示装置８００は、操作部８１０、８１２を操作したときに動作する予め定める制御対象、および、操作部８１０、８１２を操作したときに動作する予め定める制御対象の予め定める動作の少なくとも一方を自動的に設定する。この構成によれば、ユーザが各操作部８１０、８１２の設定を行う必要がなく、ユーザビリティが向上する。
（９）自転車用表示装置８００は、自転車用電子機器Ｅの構成、種類、または、機能が変更された場合、操作部８１０、８１２の設定を自動的に変更する。この構成によれば、ユーザが各操作部８１０、８１２の設定を変更する必要がなく、ユーザビリティが向上する。
【０１２６】
（変形例）
上記各実施形態に関する説明は、本発明に従う操作制御装置および自転車用表示装置が取り得る形態の例示であり、その形態を制限することを意図していない。本発明に従う操作制御装置および自転車用表示装置は、上記各実施形態以外に例えば以下に示される各実施形態の変形例、および、相互に矛盾しない少なくとも２つの変形例が組み合わせられた形態を取り得る。
【０１２７】
・変形例の操作制御装置１００は、図１２に示されるとおり、第１の記憶部１０４に記憶されている接続機器情報と操作対象情報との対応付けを変更可能な設定変更装置Ｓと通信可能である。設定変更装置Ｓは、例えばパーソナルコンピュータである。操作制御装置１００の第１の制御部１０２と設定変更装置Ｓとが通信可能に接続され、設定変更装置Ｓが操作されることにより接続機器情報と操作対象情報との対応付けが変更された場合、第１の記憶部１０４に記憶されている情報が第１の制御部１０２により更新される。このため、第５の操作部５０７を操作したときに動作する予め定める制御対象、および、第５の操作部５０７を操作したときに動作する予め定める制御対象の予め定める動作の少なくとも一方を自由に設定または変更することができる。
【０１２８】
・操作制御装置１００の第１の接続部１０８が電線Ｌに対して着脱可能であるか否かは任意に変更可能である。一例によれば、第１の接続部１０８と電線Ｌとが着脱できないように接続される。
【０１２９】
・操作制御装置１００がドライブユニット３２に含まれるか否かは任意に変更可能である。変形例の操作制御装置１００は、例えば変速ユニット３００、第１の操作ユニット４００、第２の操作ユニット５００、および、第１の表示ユニット６００のいずれかに含まれる。
【０１３０】
・変形例の第１の制御部１０２は、初期状態において、第５の操作部５０７を操作したときに動作する予め定める制御対象、および、第５の操作部５０７を操作したときに動作する予め定める制御対象の予め定める動作を設定している。一例によれば、第１の制御部１０２は、初期状態において第５の操作部５０７が操作された場合、ランプ２４の点灯状態を切り替える。この変形例によれば、図５に示される処理からステップＳ１１〜ステップＳ１３の処理を省略してもよい。
【０１３１】
・変形例の操作制御装置１００の第１の制御部１０２は、第５の操作部５０７以外の操作部Ｐの少なくとも１つについて、操作部Ｐを操作したときに動作する予め定める制御対象、および、操作部Ｐを操作したときに動作する予め定める制御対象の予め定める動作の少なくとも１つを設定または変更するように構成してもよい。一例によれば、第１の制御部１０２は、第１の表示ユニット６００のランプスイッチ６０６を、他の自転車用電子機器Ｅに予め定める動作を実行させるスイッチとして機能させる。
【０１３２】
・第５の操作部５０７と実質的に同じ構成を持つ操作部Ｐの数は任意に変更可能である。第１の実施形態の変形例によれば、第５の操作部５０７に加えて、少なくとも１つ以上の第５の操作部５０７と実質的に同じ構成を持つ操作部Ｐが自転車１０に搭載される。第２の実施形態、第３の実施形態、および、第５の実施形態においても同様の変形が成立する。
【０１３３】
・変形例の操作制御装置１００の第１の記憶部１０４に記憶される情報は、１つの接続機器情報と複数の操作対象情報とを関連付けた第１の機器対応情報、操作対象順位情報、複数の接続機器情報のそれぞれに操作対象情報を対応付けた第２の機器対応情報、および、接続機器順位情報を含む。操作制御装置１００の第１の制御部１０２は、自転車用電子機器Ｅとの通信により接続機器情報を取得し、取得した接続機器情報、ならびに、第１の記憶部１０４に記憶されている第１の機器対応情報、操作対象順位情報、第２の機器対応情報、および、接続機器順位情報に基づいて、第５の操作部５０７の設定を行ったり、第５の操作部５０７の設定を変更したりする。
【０１３４】
・変形例の操作制御装置１００の第１の記憶部１０４は、予め定める制御対象および予め定める動作の一方だけに対応する操作対象情報を記憶する。
・変形例の操作制御装置１００の第１の制御部１０２は、制御対象を変更しないで、第５の操作部５０７の操作に応じた自転車用電子機器Ｅの動作のみを設定または変更する。一例によれば、第１の制御部１０２は、第５の操作部５０７の操作に応じた自転車用電子機器Ｅの動作を第１の表示ユニット６００の表示画面の状態を切り替える動作から、第１の表示ユニット６００のバックライトをオンおよびオフを切り替える動作に変更する。
【０１３５】
・変形例の操作制御装置１００の第１の制御部１０２は、第５の操作部５０７を操作したときに動作する予め定める制御対象を２つ設定することができる。一例によれば、第１の制御部１０２は、第５の操作部５０７の制御対象をランプ２４および第１の表示ユニット６００に設定し、第５の操作部５０７の操作に応じた自転車用電子機器Ｅの動作をランプ２４の点灯状態を切り替える動作、および、第１の表示ユニット６００の表示画面の状態を切り替える動作に設定する。制御対象および動作の設定後または変更後において、第５の操作部５０７が例えば短押しで操作された場合にその操作に応じてランプ２４の点灯状態が切り替えられ、第５の操作部５０７が例えば長押しで操作された場合にその操作に応じて第１の表示部６０２の画面の状態が切り替えられる。この変形例によれば、図５に示されるステップＳ１６の処理において、第５の操作部５０７の操作したときに動作する予め定める制御対象、および、第５の操作部５０７を操作したときに動作する予め定める制御対象の予め定める動作を新たに設定することも可能である。
【０１３６】
・変形例の操作制御装置１００の第１の制御部１０２は、第５の操作部５０７を操作したときに動作する予め定める制御対象、および、第５の操作部５０７を操作したときに動作する予め定める制御対象の予め定める動作を、自転車１０に搭載されているその他の操作部Ｐを操作したときに動作する予め定める制御対象、および、その操作部Ｐを操作したときに動作する予め定める制御対象の予め定める動作と重複するように設定または変更可能である。
【０１３７】
・第５の実施形態の変形例の操作制御装置１００は、無線通信部１１０を省略した形態を取り得る。
・第５の実施形態の変形例の操作制御装置１００によれば、第１の記憶部１０４に記憶されている情報から配置情報および推奨情報が省略される。
【０１３８】
・第６の実施形態の変形例の自転車用表示装置８００によれば、外部の機器からの指示によって、予め定める制御対象が設定または変更される。外部の機器は、例えば自転車用電子機器Ｅを構成する制御部の１つまたはパーソナルコンピュータである。
【０１３９】
・第６の実施形態の変形例の自転車用表示装置８００は、第８の操作部８１０および第９の操作部８１２に加えて、少なくとも１つ以上の第５の操作部５０７と実質的に同じ構成を持つ操作部Ｐをさらに含む。
【０１４０】
・第６の実施形態の変形例の自転車用表示装置８００は、第８の操作部８１０および第９の操作部８１２の一方を省略した形態を取り得る。
・トルクセンサ２６が歪センサによって構成されるか否かは任意に変更可能である。一例によれば、トルクセンサ２６は、磁歪センサによって構成される。この場合、例えばクランク軸２２からフロントスプロケット３８までの動力伝達経路に磁歪素子が取り付けられ、磁歪センサによって磁歪素子のひずみが検出される。
【０１４１】
・車速センサ２８がフレーム１２のフロントフォークに設けられるか否かは任意に変更可能である。一例によれば、車速センサ２８は、フレーム１２のチェーンステイまたはドライブユニット３２のハウジングに設けられる。この場合、車速センサ２８は、後輪１６に設けられる磁石に反応し、後輪１６の回転速度が反映された信号を出力する。
【０１４２】
・第１の表示ユニット６００がハンドルバー１８の中間部分に設けられるか否かは任意に変更可能である。一例によれば、第１の表示ユニット６００は、ハンドルバー１８とフロントフォークとを連結するフレーム１２のステムに設けられる。別の一例によれば、第１の表示ユニット６００は、フレーム１２のトップチューブまたはダウンチューブに設けられる。
【０１４３】
・第１の操作部４０４が押しボタン式のスイッチを含んで構成されるか否かは任意に変更可能である。一例によれば、第１の操作部４０４は、レバー式のスイッチを含んで構成される。別の一例によれば、第１の操作部４０４は、スライド式のスイッチを含んで構成される。さらに別の一例によれば、第１の操作部４０４は、タッチパネルを含んで構成される。すなわち、第１の操作部４０４は、運転者が操作可能な構成であれば、いずれの構成であっても採用することができる。第２の操作部４０６、第３の操作部５０４、第４の操作部５０６、第５の操作部５０７、第６の操作部５１６、第７の操作部５１８、第８の操作部８１０、および、第９の操作部８１２においても同様の変形が成立する。
【０１４４】
・自転車用電子機器Ｅの全部が電線Ｌにより電力線通信を実行するか否かは任意に変更可能である。一例によれば、電線Ｌに接続されている各通信部のうちの少なくとも１つの通信部は、電線Ｌによる電力線通信ではなく、無線により各自転車用電子機器Ｅと通信が行われる。無線によって通信を行う通信部を有する自転車用電子機器Ｅには、バッテリＢから電線Ｌを介して電力が供給されてもよく、充電可能なバッテリがその自転車用電子機器Ｅの内部に着脱可能に設けられてもよい。
【符号の説明】
【０１４５】
１０…自転車、２４…ランプ、１００…操作制御装置、１０２…第１の制御部（制御部）、１０４…第１の記憶部（記憶部）、１０８…第１の接続部（接続部）、１１０…無線通信部、５０２…第５の操作部（操作部）、５１６…第６の操作部（操作部）、５１８…第７の操作部（操作部）、６００…第１の表示ユニット、６０６…ランプスイッチ、７００…第２の表示ユニット、８００…自転車用表示装置、８０２…第３の表示部（表示部）、８０４…ハウジング、８０６…第８の制御部（制御部）、８１０…第８の操作部（操作部）、８１２…第９の操作部（操作部）、Ｅ…自転車用電子機器、Ｌ…電線、Ｐ…操作部、Ｓ…設定変更装置。
【図１】
0006553440.tif 000008
【図２】
0006553440.tif 000009
【図３】
0006553440.tif 000010
【図４】
0006553440.tif 000011
【図５】
0006553440.tif 000012
【図６】
0006553440.tif 000013
【図７】
0006553440.tif 000014
【図８】
0006553440.tif 000015
【図９】
0006553440.tif 000016
【図１０】
0006553440.tif 000017
【図１１】
0006553440.tif 000018
【図１２】
0006553440.tif 000019